(57)【特許請求の範囲】
【請求項１】
受信機のソフトウエアの暗号化された形態の更新情報を、スクランブルされた信号をテレビジョン送信機から受信する手段及び前記スクランブルされた信号をデスクランブルする解読モジュールを設けたビデオ通信受信機で読み取る方法において、
前記更新情報を、前記ビデオ通信受信機に設けられたカードリーダに配置されたマイクロプロセッサカードに含まれる前記更新情報を読み取ることによって、又は外部との接続のために前記ビデオ通信受信機の設けられたコネクタを通じて、前記ビデオ通信受信機に導入するステップと、
前記更新情報を前記解読モジュールによって解読するステップとを具え、
前記更新情報を、前記テレビジョン送信機から前記ビデオ通信受信機に送信される信号をシミュレートするデータストリームによって運び、前記データストリームを、前記信号のフォーマットと同一フォーマットのパケット内に構成することを特徴とする、受信機のソフトウエアの暗号化された形態の更新情報を読み取る方法。
【請求項２】
請求項１記載の方法において、
前記更新情報を、前記ビデオ通信受信機のランダムアクセスメモリにロードし、前記解読モジュールによって処理する前に前記テレビジョン送信機から前記ビデオ通信受信機に送信される信号をシミュレートする形態にすることを特徴とする方法。
【請求項３】
受信機のソフトウエアの暗号化された形態の更新情報を、スクランブルされた信号をテレビジョン送信機から受信する手段及び前記スクランブルされた信号をデスクランブルする解読モジュールを設けたビデオ通信受信機において、
前記更新情報を前記ビデオ通信受信機に導入する手段と、
前記更新情報を前記解読モジュールによって解読する手段とを更に設け、
前記更新情報を前記ビデオ通信受信機に導入する手段が、マイクロプロセッサカードに含まれる前記更新情報を読み取るカードリーダ又は前記更新情報を前記ビデオ通信受信機に導入する手段が、前記更新情報を受信するために外部との接続を行うコネクタを有し、
前記更新情報を、前記テレビジョン送信機から前記ビデオ通信受信機に送信される信号をシミュレートするデータストリームによって運び、前記データストリームを、前記信号のフォーマットと同一フォーマットのパケット内に構成することを特徴とするビデオ通信受信機。
【請求項４】
請求項３記載のビデオ通信受信機において、
前記更新情報を、前記ビデオ通信受信機のランダムアクセスメモリにロードし、前記解読モジュールによって処理する前に前記テレビジョン送信機から前記ビデオ通信受信機に送信される信号をシミュレートする形態にする手段を更に設けたことを特徴とするビデオ通信受信機。
【請求項５】
請求項３又は４記載のビデオ通信受信機用のマイクロプロセッサカードであって、
前記テレビジョン送信機から前記ビデオ通信受信機に送信される信号をシミュレートするデータストリームを生成し、前記データストリームを、前記信号のフォーマットと同一フォーマットのパケット内に構成することを特徴とすることを特徴とするマイクロプロセッサカード。
【発明の詳細な説明】
【０００１】
【発明の属する技術分野】
本発明は、受信機のソフトウエアの暗号化された形態の更新情報を、スクランブルされた信号をテレビジョン送信機から受信する手段及び前記スクランブルされた信号をデスクランブルする解読モジュールを設けたビデオ通信受信機で読み取る方法に関する。
【０００２】
また、本発明は、受信機のソフトウエアの暗号化された形態の更新情報を、スクランブルされた信号をテレビジョン送信機から受信する手段及び前記スクランブルされた信号をデスクランブルする解読モジュールを設けたビデオ通信受信機に関する。
【０００３】
さらに、本発明は、本発明によるビデオ通信受信機用のマイクロプロセッサカードに関する。
【０００４】
【従来の技術】
画像がデスクランブルされるテレビジョンシステムは、国際出願第WO93/07715号（Thompson）から既知である。この文書によると、受信領域に従って受信機内でテレビジョンチャネルを自動的に更新するために、特定のマイクロプロセッサカードがインストーラによって用いられる。
【０００５】
受信機のそのような更新は受信周波数に関係してもよいが、またユーザの加入を認証するデータに関係してもよい。したがって、乱用から保護するためにサービス情報又は少なくとも一定の情報が暗号化されるのが有益である。原理的には、適用される機密コードと解読指令との双方又はいずれか一方に基づいて解読データを暗号化されたサービス情報を介して供給する解読モジュールを用いる必要である。解読命令それ自身を暗号化することもできる。
【０００６】
【発明が解決しようとする課題】
そのようなサービス情報を受信し且つ解読することができるシステムの実現を簡単に行うことが本発明の目的である。
【０００７】
【課題を解決するための手段】
このために、前記更新情報を、前記ビデオ通信受信機に設けられたカードリーダに配置されたマイクロプロセッサカードに含まれる前記更新情報を読み取ることによって、又は外部との接続のために前記ビデオ通信受信機の設けられたコネクタを通じて、前記ビデオ通信受信機に導入するステップと、前記更新情報を前記解読モジュールによって解読するステップとを具え、すなわち、前記更新情報を前記ビデオ通信受信機に導入する手段と、前記更新情報を前記解読モジュールによって解読する手段とを更に設け、前記更新情報を前記ビデオ通信受信機に導入する手段が、マイクロプロセッサカードに含まれる前記更新情報を読み取るカードリーダ又は前記更新情報を前記ビデオ通信受信機に導入する手段が、前記更新情報を受信するために外部との接続を行うコネクタを有し、
前記更新情報を、前記テレビジョン送信機から前記ビデオ通信受信機に送信される信号をシミュレートするデータストリームによって運び、前記データストリームを、前記信号のフォーマットと同一フォーマットのパケット内に構成する。
【０００８】
したがって、受信機のソフトウエアの暗号化された形態の更新情報を受信機の解読モジュールに直接送信することができ、特別の解読モジュールは不要になる。
【０００９】
特定の実施例においては、前記更新情報を、前記ビデオ通信受信機のランダムアクセスメモリにロードし、前記解読モジュールによって処理する前に前記テレビジョン送信機から前記ビデオ通信受信機に送信される信号をシミュレートする形態にし、すなわち、前記更新情報を、前記ビデオ通信受信機のランダムアクセスメモリにロードし、前記解読モジュールによって処理する前に前記テレビジョン送信機から前記ビデオ通信受信機に送信される信号をシミュレートする形態にする手段を更に設ける。
【００１０】
好適には、本発明のビデオ通信受信機用のマイクロプロセッサカードは、前記テレビジョン送信機から前記ビデオ通信受信機に送信される信号をシミュレートするデータストリームを生成し、前記データストリームを、前記信号のフォーマットと同一フォーマットのパケット内に構成する。
【００１１】
本発明のこれらの態様は以下に記載される実施例から明らかにされ、且つ本発明のその他の態様が以下に記載される実施例を参照して解明されるだろう。
【００１２】
【発明の実施の形態】
図に示されたビデオ通信受信機は、衛星受信機アセンブリ１〜６とケーブル受信機アセンブリ７〜11とを具えている。
【００１３】
衛星受信機アセンブリは、パラボラアンテナ１と中間周波数（IF）増幅器３により追従される同調器２とにより構成されている。このレベルにおいて、この信号がQPSKと呼ばれる既知の処理に従って変調される。中間周波数信号は、アナログ／ディジタル変換器４においてディジタル値に変換され、その後、QPSK形の復調器５により復調される。最後に、この信号内の一定の誤りは、既知のコーディング原理に従って信号が冗長ビットを具えていると言う事実に基づいて前方誤り訂正装置６で修正される。
【００１４】
ケーブル受信機アセンブリは、トランスポーザ８により追従される同調器７によって信号入力端子から構成される。このレベルにおいて、64 QAMと呼ばれる既知の処理に従って信号が変調される。中間周波数信号がアナログ／ディジタル変換器９においてディジタル値に変換され、その後、64 QAM型の復調器10により復調される。最後に、その信号内の一定の誤りは、前方誤り訂正装置６と同じ型の誤り訂正装置11で修正される。
【００１５】
このレベルにおいて、復調された信号は（"MPEG-2 トランスポートストリーム" に対して）MPEG-2 TS と呼ばれ、それはほぼ36メガビットの容量を有する信号であり、スクランブルされる音声とデータとを有する20個までのプログラムを具える。
【００１６】
衛星受信機アセンブリとケーブル受信機アセンブリとは、それらがしばしば２個の別の装置でも実現されるけれども、ここでは組み合わせて示されている。スイッチ12が衛星信号か又はケーブル信号かのいずれかの選択を許容する。信号は、チップカードと呼ばれるマイクロプロセッサカード17用のリーダ23及びマイクロプロセッサ15にバス27により接続されたデスクランブリングモジュール13でデスクランブルされる。
【００１７】
マイクロプロセッサ15は、基本的な命令が書き込まれているリードオンリーメモリを具える。それは、更新する必要があるプログラムの記録エレメント用のフラッシュメモリ30に対する瞬時データ用のランダムアクセスメモリ22に関連し、且つカードリーダ23、制御キーボードと遠隔制御受信機との双方又はいずれか一方、データ用の表示スクリーン25に関連し、場合によってはモデム24に関連する。
【００１８】
デスクランブルされた信号は、その後マイクロプロセッサ15へ接続されたデマルチプレクサ16の動作のために提供され、そのデマルチプレクサがMPEG-2TS の異なるプログラムを互いに分離し、それらのうちの１個がスイッチ26によって選択される。このデマルチプレクサからの信号はまだディジタル形式であり、且つスクリーン上に画像を表示するため及び拡声器へ音声を与えるために、アナログ信号に変換される必要がある。この最終変換は、例えば、YUV 形式で4-2-2 型の既知の種類の信号を供給するビデオデコーダ19において、及びオーディオデコーダ18において達成される。この実施例においては、これらのデコーダは、テレビジョン受信機に関連する場合には、受信機の標準的なオーディオ回路及びビデオ回路に接続部28を介してそれぞれ接続したオーディオ前処理回路20及びビデオ前処理回路21にそれぞれ追従し、上記受信機がPAL,SECAM又はNTSC型の通常のテレビジョン序新規の信号入力部に接続するためのデコーダユニットである場合には、外部のテレビジョン受信機の標準的なオーディオ回路及びビデオ回路に接続部28を介してそれぞれ接続したオーディオ前処理回路20及びビデオ前処理回路21にそれぞれ追従する。
【００１９】
チップカード17用のリーダ23は、既知の方法でテレビジョン画像をデスクランブルするために必要な情報を読み取るために用いられる。リーダ23は、受信機にサービス情報、特にソフトウエアを導入するためにも用いられる。このために、同一のリーダにおいて、分類キー、有料テレビジョンサービスへの加入の特徴等の個人情報を具えているユーザカードが、暗号化された形態の更新情報例えばソフトウエアエレメントを具えるサービスカードに置き換えられる。この情報が例えばIEEE 1284 として標準化された種類のコネクタ32によって、代わりに受信機内へ導入され得ることは明らかである。情報を導入するために、このコネクタは、「PC」（パーソナルコンピュータ）として知られた種類のマイクロコンピュータへ、又は受信機を制御するために特に設計された装置へ、あるいはローディングデータ用の中央ユニットを有する、例えば型RS232 の接続部へ接続されてもよい。
【００２０】
サービス情報を解読するために、受信機自身のデスクランブリングモジュール13が用いられる。このために種々の手段を用いることができる。
カードの情報を、このためにカードリーダ23とスイッチ12との間に設けた接続部２９によってデスクランブリングモジュール13に直接供給することができ、スイッチ12は、モジュール13に接続するよう接続部29を選択する。その後、マイクロプロセッサカードは、送信機によって受信機に送信された信号をシミュレートするデータストリームを生成し、データストリームは、MPEG-2 TS 信号と同一フォーマットのパケット内で構成される。当業者が要求に応じて書き込める適合されたソフトウエアは、マイクロプロセッサメモリにロードされ、その結果、モジュール１３からの情報が、ソフトウエアの更新として認識されるとともに適切に使用される。
情報を、暗号化された形態でリーダ23またはメモリ22に直接伝送し、その後、マイクロプロセッサ15それ自体によって同一フォーマットのMPEG-2 TS信号の形態としてモジュール13に供給することもできる。この場合、マイクロプロセッサカードは、送信機によって受信機に送信される信号をシミュレートするデータストリームを生成する必要がない。
【００２１】
そのカード内の情報を層で構成してもよく、第１層が、解読するために必要な制御ワードを含み、この制御ワード自身が暗号化形態を有してもよい。インストーラにより供給されるキーが、第２層を構成する他の情報を解読する制御ワードの解読を許容する。前記の第１層は、第２層のコンテンツについて及び前記第２層を解読するための方法についての他の複数の情報を含んでもよい。第１層の情報を直接供給される、すなわち受信機の解読モジュールを使用しない解読命令によって、一定の場合にはサービス情報を解読することが常に可能であり、これはまたその時第１層においても示される。これは例えば、サービス情報の供給に伴われるテレビジョン放送装置によりなされる選択に依存してもよい。
【００２２】
アセンブリの動作のモードは次の通りである（伝達はマイクロプロセッサカードによって実現されることが想像される）。インストーラが受信機内にカードを置き、受信機が（既知の方法で）サービスカードを認識してその後そのカード内の第１パケットを読み取り、続いてこの第１パケットを解読するためのキーをインストーラから得るためにインスローラとの対話を有し、予めそれを知ることなくインストーラにより供給されるキーの有効性がそれにより認識されるカード上の署名をそれが有してもよく、この種類の他の暗号化方法は本質的に既知である。本発明が実行される場合には、かくして得られたデータがモジュール13へ送信され、それがカード17（第２層）内の暗号化形態で含まれるパケットの残りをデコードすることを許容する。変形として、自律マイクロ制御器31が第１層の情報の読取と反復との動作を任されてもよい。第１層の情報が、第２層の情報が受信機のデスクランブリングモジュールにより処理されるように企図された形であることを示した場合には、自律マイクロ制御器31が情報の残り、すなわち第２層を解読する主要なマイクロプロセッサ15へ制御を切り換える。
【図面の簡単な説明】
【図１】  マイクロプロセッサカード読取器を設けられたビデオ通信受信機を図式的に示している。
【符号の説明】
１  パラボラアンテナ
２  同調器
３  中間周波数（IF）増幅器
４  アナログ／ディジタル変換器
５  復調器
６  前方誤り訂正装置
７  同調器
８  トランスポーザ
９  アナログ／ディジタル変換器
10  復調器
11  誤り訂正装置
12  スイッチ
13  デスクランブリングモジュール
15  マイクロプロセッサ
16  デマルチプレクサ
17  チップカードすなわちマイクロプロセッサカード
18  オーディオデコーダ
19  ビデオデコーダ
20  オーディオ前処理回路
21  ビデオ前処理回路
22  ランダムアクセスメモリ
23  カードリーダ
24  モデム
25  表示スクリーン
26  スイッチ
27  バス
28  接続部
29  接続部
30  フラッシュメモリ
31  自律マイクロ制御器
32  コネクタ
【図１】
0004060398.tif 000002